(57)【要約】【課題】設置スペースの増加を抑制しつつ、局部洗浄ノズルの洗浄と便鉢部の表面への液体の噴霧とを可能とする。【解決手段】衛生洗浄便座装置は、洗浄水を噴出可能な噴出孔を有する局部洗浄ノズルと、液体を噴霧可能な噴霧孔を有する噴霧器と、を備える。噴霧器は、局部洗浄ノズルの噴出孔に向かって液体を噴霧可能な第１噴霧位置と、便器の便鉢部の表面に向かって液体を噴霧可能な第２噴霧位置との間を移動可能に構成される。これにより、１つの噴霧器で局部洗浄ノズルの噴出孔に液体を噴霧することができると共に便鉢部の表面に液体を噴霧することができる。【選択図】図２
2018150746.tif 000002
【特許請求の範囲】
【請求項１】
便器に設置される衛生洗浄便座装置であって、
洗浄水を噴出可能な噴出孔を有する局部洗浄ノズルと、
液体を噴霧可能な噴霧孔を有する噴霧器と、
を備え、
前記噴霧器は、前記局部洗浄ノズルの噴出孔に向かって液体を噴霧可能な第１噴霧位置と、前記便器の便鉢部の表面に向かって液体を噴霧可能な第２噴霧位置との間を移動可能である、
衛生洗浄便座装置。
【請求項２】
請求項１記載の衛生洗浄便座装置であって、
前記局部洗浄ノズルは、進退移動が可能であり、
前記噴霧器は、前記局部洗浄ノズルの進退移動に連動して前記第１噴霧位置と前記第２噴霧位置との間を移動可能である、
衛生洗浄便座装置。
【請求項３】
請求項２記載の衛生洗浄便座装置であって、
前記局部洗浄ノズルを収容するケースを備え、
前記局部洗浄ノズルは、前記噴出孔を有するノズル本体と、前記ノズル本体を収容するシリンダ部とを有し、
前記ノズル本体は、前記シリンダ部に対して進退移動が可能であり、
前記シリンダ部は、前記ケースに対して進退移動が可能であり、
前記噴霧器は、前記シリンダ部の進退移動に連動して前記第１噴霧位置と前記第２噴霧位置との間を移動可能である、
衛生洗浄便座装置。
【請求項４】
請求項３記載の衛生洗浄便座装置であって、
前記ケースに回動自在に支持され、前記シリンダ部の進退移動に連動して回動する回動部材と、
前記回動部材の回動に連動して前記局部洗浄ノズルを前記ケースから露出させる開位置と前記局部洗浄ノズルを前記ケース内に遮蔽する閉位置との間で移動可能なシャッター部材と、
を備え、
前記噴霧器は、前記回動部材に固定されている、
衛生洗浄便座装置。
【請求項５】
請求項４記載の衛生洗浄便座装置であって、
前記シリンダ部の直動運動を前記回動部材の回動運動に変換するリンク機構を備える、
衛生洗浄便座装置。
【発明の詳細な説明】
【技術分野】
【０００１】
本発明は、噴霧器を備える衛生洗浄便座装置に関する。
【背景技術】
【０００２】
従来より、進出して局部洗浄を行なう局部洗浄位置と後退して待機する待機位置との間を移動し且つ給水栓に接続されて供給された水を局部洗浄水として噴出する噴出孔を有する局部洗浄ノズルと、ミストを発生するミスト発生手段と、局部洗浄ノズルを待機位置において噴出孔の近傍を含んで収納するノズル収納部と、局部洗浄ノズルとミスト発生手段とを制御する制御手段とを備える温水洗浄装置が提案されている（例えば、特許文献１参照）。この装置では、局部洗浄ノズルがノズル収納部に収納されている場合にノズル収容部内にミストが発生するように制御する。これにより、局部洗浄ノズルを清潔にして使用することができるとしている。
【先行技術文献】
【特許文献】
【０００３】
【特許文献１】特開２００８−２０２２６７号公報
【発明の概要】
【発明が解決しようとする課題】
【０００４】
ところで、近年、便器の便鉢部の表面に汚物が付着するのを抑制するために、便鉢部の表面に水を噴霧する噴霧器を備える便座装置も提案されている。しかしながら、局部洗浄ノズルを洗浄するミスト発生手段に加えて便鉢部の表面の水を噴霧する噴霧器も別途設置することは、設置スペースの増加やコストの増加を招いてしまう。
【０００５】
本発明の衛生洗浄便座装置は、設置スペースの増加を抑制しつつ、局部洗浄ノズルの洗浄と便鉢部の表面への液体の噴霧とを可能とすることを主目的とする。
【課題を解決するための手段】
【０００６】
本発明の衛生洗浄便座装置は、上述の主目的を達成するために以下の手段を採った。
【０００７】
本発明の衛生洗浄便座装置は、便器に設置される衛生洗浄便座装置であって、洗浄水を噴出可能な噴出孔を有する局部洗浄ノズルと、液体を噴霧可能な噴霧孔を有する噴霧器と、を備え、前記噴霧器は、前記局部洗浄ノズルの噴出孔に向かって液体を噴霧可能な第１噴霧位置と、前記便器の便鉢部の表面に向かって液体を噴霧可能な第２噴霧位置との間を移動可能である、ことを要旨とする。
【０００８】
この本発明の衛生洗浄便座装置では、噴霧器は、局部洗浄ノズルの噴出孔に向かって液体を噴霧可能な第１噴霧位置と、便器の便鉢部の表面に向かって液体を噴霧可能な第２噴霧位置との間を移動可能である。これにより、１つの噴霧器で局部洗浄ノズルの噴出孔に液体を噴霧することができると共に便鉢部の表面に液体を噴霧することができる。この結果、設置スペースの増加を抑制しつつ、局部洗浄ノズルの洗浄と便鉢部の表面への液体の噴霧とが可能な衛生洗浄便座装置を提供することができる。
【０００９】
こうした本発明の衛生洗浄便座装置において、前記局部洗浄ノズルは、進退移動が可能であり、前記噴霧器は、前記局部洗浄ノズルの進退移動に連動して前記第１噴霧位置と前記第２噴霧位置との間を移動可能であるものとしてもよい。こうすれば、噴霧器を移動させるための専用のアクチュエータを必要としないため、設置スペースの増加をさらに抑制することができる。この態様の本発明の衛生洗浄便座装置において、前記局部洗浄ノズルを収容するケースを備え、前記局部洗浄ノズルは、前記噴出孔を有するノズル本体と、前記ノズル本体を収容するシリンダ部とを有し、前記ノズル本体は、前記シリンダ部に対して進退移動が可能であり、前記シリンダ部は、前記ケースに対して進退移動が可能であり、前記噴霧器は、前記シリンダ部の進退移動に連動して前記第１噴霧位置と前記第２噴霧位置との間を移動可能であるものとしてもよい。さらにこの態様の本発明の衛生洗浄便座装置において、前記ケースに回動自在に支持され、前記シリンダ部の進退移動に連動して回動する回動部材と、前記回動部材の回動に連動して前記局部洗浄ノズルを前記ケース内から露出させる開位置と前記局部洗浄ノズルを前記ケース内に遮蔽する閉位置との間で移動可能なシャッター部材と、を備え、前記噴霧器は、前記回動部材に固定されているものとしてもよい。こうすれば、回動部材の回動によってシャッター部材の開閉と連動して噴霧器の噴霧方向を変更することができる。この場合、前記シリンダ部の直動運動を前記回動部材の回動運動に変換するリンク機構を備えるものとしてもよい。
【図面の簡単な説明】
【００１０】
【図１】本実施形態の衛生洗浄便座装置１０が取り付けられた便器１の外観を示す外観斜視図である。
【図２】衛生洗浄便座装置１０が取り付けられた便器１の断面を示す部分断面図である。
【図３】衛生洗浄便座装置１０が取り付けられた便器１の断面を示す部分断面図である。
【図４】洗浄ユニット２０の外観を示す外観斜視図である。
【図５】洗浄ユニット２０の外観を示す外観斜視図である。
【図６】洗浄ユニット２０の外観を示す外観斜視図である。
【図７】図４の洗浄ユニット２０の断面を示す断面図である。
【図８】図５の洗浄ユニット２０の断面を示す断面図である。
【図９】図６の洗浄ユニット２０の断面を示す断面図である。
【図１０】衛生洗浄便座装置１０の変換機構３０を中心とした部分拡大図である。
【図１１】衛生洗浄便座装置１０の変換機構３０を中心とした部分拡大図である。
【図１２】衛生洗浄便座装置１０の変換機構３０を中心とした部分拡大図である。
【図１３】リンク部材３２の外観を示す外観斜視図である。
【図１４】回動部材３３の外観を示す外観斜視図である。
【発明を実施するための形態】
【００１１】
次に、本発明を実施するための形態について説明する。
【００１２】
図１は、本実施形態の衛生洗浄便座装置２０が取り付けられた便器１の外観を示す外観斜視図である。便器１は、図１に示すように、洋式腰掛便器であり、便器１の上面に、本実施形態の衛生洗浄便座装置１０が設置されている。衛生洗浄便座装置１０は、便座装置本体１１と、便座装置本体１１に回動自在に支持された便座１２と、便座１２と同様に便座装置本体１１に回動自在に支持された便蓋１３と、操作パネル１４とを備える。図２，３に、衛生洗浄便座装置１０が取り付けられた便器１の断面を示す。
【００１３】
便座装置本体１１は、図２，３に示すように、ケース１１０として、便器１の上面に固定される樹脂製のベースプレート１１１と、当該ベースプレート１１１に着脱自在に取り付けられる樹脂製のカバー１１９とを有する。ベースプレート１１１は、図２，３に示すように、便器１の上面に固定される平坦部１１２と、平坦部１１２の一端から便器１の便鉢部２に向けて傾斜するように延出された傾斜部１１３とを有する。傾斜部１１３は、ベースプレート１１１が便器１に固定された際、図示するように便鉢部２内に入り込む。
【００１４】
また、便座装置本体１１は、それぞれ人体の局部に水（温水を含む）を噴出する人体洗浄ノズルとしてのおしり用洗浄ノズル２１およびビデ用洗浄ノズル２５と、おしり用洗浄ノズル２１およびビデ用洗浄ノズル２５の洗浄等に用いられる噴霧器４０とを有する洗浄ユニット２０を備える。洗浄ユニット２０は、図４〜図６の洗浄ユニット２０の外観斜視図や図７〜図９の洗浄ユニット２０の断面図に示すように、固定部２９によりベースプレート１１１に固定される。
【００１５】
おしり用洗浄ノズル２１は、図４〜図９に示すように、ケース１１０に対して進退移動可能なノズル本体２２と、ノズル本体２２を進退移動自在に収納するシリンダ部２３とを有する。シリンダ部２３は、モータやラックアンドピニオン機構等を含む図示しないアクチュエータにより予め定められた範囲内でベースプレート１１１に対して軸方向に進退移動させられる。また、ノズル本体２２は、図７〜図９に示すように、スプリング２４の付勢力によりシリンダ部２３に収容される収容位置側へ付勢されており、おしり用洗浄ノズル２１に供給される水の圧力によりスプリング２４の付勢力に抗してシリンダ部２３に対して伸張することで、便鉢部２側の洗浄位置へ移動可能となっている。ノズル本体２２の先端部付近には便器１の上側に向かって開口する噴出孔２２１が形成されており、おしり用洗浄ノズル２１は、その洗浄位置において水を噴出孔２２１から噴出することにより、おしり洗浄を行なう。また、ノズル本体２２の噴出孔２２１よりも先端側（先端面）には、便器１の下側（便鉢部２側）に向けて突出された突起部２２２が設けられている。
【００１６】
ビデ用洗浄ノズル２５は、図４〜図６に示すように、ケース１１０に対して進退移動可能なノズル本体２６と、ノズル本体２６を進退移動自在に収納するシリンダ部２７とを有する。シリンダ部２７は、上記アクチュエータにより予め定められた範囲内で、シリンダ部２３と一体的にベースプレート１１１に対して軸方向に進退移動させられる。また、ノズル本体２６は、ビデ用洗浄ノズル２５に供給される水の圧力または図示しないスプリングの付勢力により収納位置と便鉢部２側の洗浄位置との間を軸方向に進退移動させられる。ノズル本体２６の先端部付近には便器１の上側に向かって開口する噴出孔２６１が形成されており、ビデ用洗浄ノズル２５は、その洗浄位置において水を噴出孔２６１から噴出することにより、ビデ洗浄を行なう。また、ノズル本体２６の噴出孔２６１よりも先端側（先端面）には、ノズル本体２２と同様に、便器１の下側（便鉢部２側）に向けて突出された突起部２６２が設けられている。
【００１７】
ベースプレート１１１の傾斜部１１３の便鉢部２側端部には、便器１の上側に向かって立設されるようにリブ１１３ａが形成されている。リブ１１３ａには、シリンダ部２３，２７の収容位置側へ付勢されるノズル本体２２，２６の突起部２２２，２６２が係止される。ノズル本体２２，２６は、シリンダ部２３，２７の先端部がリブ１１３ａの形成位置から便鉢部２側とは反対のケース１１０の奥に離間しているときには、図４，図７に示すように、当該ノズル本体２２，２６の噴出孔２２１，２６１がシリンダ部２３，２７から露出される。また、ノズル本体２２，２６は、シリンダ部２３，２７の先端部がリブ１１３ａの形成位置付近まで便鉢部２側へ移動すると、図５，図８に示すように、当該ノズル本体２２，２６の噴出孔２２１，２６１がシリンダ部２３，２７内に収容される。そして、おしり用洗浄ノズル２１（またはビデ用洗浄ノズル２５）に水が供給されると、図６，図９に示すように、その水圧によってノズル本体２２（またはノズル本体２６）がシリンダ部２３（またはシリンダ部２７）に対して伸張し、噴出孔２２１（または噴出孔２６１）から水が噴出される。
【００１８】
また、便座装置本体１１は、図示しないが、分岐水栓や給水ホースを介して水道配管（水源）に接続されたバルブユニットや、当該バルブユニットに接続された水タンク、洗浄ユニット２０（おしり用洗浄ノズル２１，ビデ用洗浄ノズル２５および噴霧器４０）、水タンクに接続されたロータリーバルブ（切替バルブ）等が設けられている。バルブユニットは、ストレーナ、逆止弁、定流量弁、止水電磁弁、リリーフ弁等を含む。水タンクは、水道配管（水源）からの水を加熱するヒータや温度センサを有し、ヒータにより加熱された温水を貯留可能である。ロータリーバルブは、水タンクからの水の供給先をおしり用洗浄ノズル２１とビデ用洗浄ノズル２５と噴霧器４０とで選択的に切り替えることができる。なお、衛生洗浄便座装置１０には、いわゆる瞬間給湯が可能となるように、水タンクの代わりに加熱ヒータを有する熱交換器が設けられてもよい。
【００１９】
さらに、便座装置本体１１には、衛生洗浄便座装置１０を制御する図示しない制御装置を備える。制御装置は、操作パネル１４や着座センサ１５（図１参照）、水タンクの温度センサ等からの信号に基づいて、バルブユニット、水タンクのヒータ、おしり用洗浄ノズル２１およびビデ用洗浄ノズル２５のアクチュエータ、ロータリーバルブ等を制御する。操作パネル１４には、図示しないが、おしり洗浄を指示するおしり用洗浄スイッチやビデ洗浄を指示するビデ用洗浄スイッチ、洗浄水の水勢を調整するための水勢調整スイッチ、洗浄を停止する停止スイッチなどが設けられている。
【００２０】
また、便座装置本体１１には、図２および図３に示すように、可動式のシャッター１６が設けられている。シャッター１６は、便座１２の開口部の幅と同程度の幅を有する板状体であり、ケース１１０のカバー１１９により回動自在に支持されている。シャッター１６は、ケース１１０のベースプレート１１１により回動自在に支持されてもよい。また、シャッター１６は、平板状に形成されるが、円弧状の断面形状を有するものであってもよい。シャッター１６は、閉位置において、おしり用洗浄ノズル２１の先端部とビデ用洗浄ノズル２５の先端部とを覆う。これにより、おしり用洗浄ノズル２１やビデ用洗浄ノズル２５、更にはその周辺部の汚れを抑制したり、両者を隠して美観を維持したりすることが可能となる。
【００２１】
シャッター１６には、シリンダ部２３，２７の軸方向に沿った直線運動をシャッター１６の回動運動に変換する変換機構（リンク機構）３０が連結されている。 図１０〜図１２は、衛生洗浄便座装置１０の変換機構３０を中心とした部分拡大図である。変換機構３０は、図１０〜図１２に示すように、ベース部材３１と、ベース部材３１に回動自在に支持されるリンク部材３２と、ベース部材３１に回動自在に支持されると共にシャッター１６を固定する回動部材３３とを備える。ベース部材３１は、ケース１１０のカバー１１９に固定される。ベース部材３１は、ケース１１０のベースプレート１１１に固定されてもよい。図１３にリンク部材３２の外観を示し、図１４に回動部材３３の外観を示す。
【００２２】
リンク部材３２は、図１３に示すように、ベース部材３１に回動自在に支持される支軸３２１と、おしり用洗浄ノズル２１のシリンダ部２３（またはビデ用洗浄ノズル２５のシリンダ部２７）に押圧される被押圧部３２２と、回動部材３３を押圧する押圧部３２３とを有する。被押圧部３２２は、支軸３２１と離間した位置でシリンダ部２３の端部が当接する当接面を有する。当接面は、図１０に示すように、支軸３２１から離間するにつれてシリンダ部２３の進退方向と直交する平面から離間するように傾斜している。押圧部３２３は、被押圧部３２２よりも支軸３２１から離間した位置に形成されている。
【００２３】
回動部材３３は、図１４に示すように、ベース３１に回動自在に支持される基端部（一端部）３３１ａとシャッター１６が固定される固定部（他端部）３３１ｂとを含みフック状に屈曲した一対の側部３３１と、一対の側部３３１の基端部３３１ａ間に架け渡されるように基端部３３１ａ間を連結する連結部３３２と、リンク部材３２の押圧部３２３により押圧される被押圧部３３３，３３４とを有する。被押圧部３３３，３３４は、一対の側部３３１の基端部３３１ａと固定部３３１ｂとの間の中間部（屈曲部）にそれぞれ設けられている。回動部材３３とベース部材３１との間には、図示しないバネが設けられており、回動部材３３は、当該バネにより図１０に示すシャッター１６の閉位置側に付勢される。
【００２４】
こうして構成される変換機構３０では、おしり用洗浄ノズル２１およびビデ用洗浄ノズル２５の各シリンダ部２３，２７を便鉢部２に向けて移動させると、図１０に示すように、シリンダ部２３の端部がリンク部材３２の被押圧部３２２に当接する。リンク部材３２は、シリンダ部２３の端部により被押圧部３２２が押圧されて、支軸３２１の回りに便器１の上面側から便鉢部２に向けて回動（図中反時計回りに回動）し、これに伴って押圧部３２３により回動部材３３の被押圧部３３３，３３４を押圧する。被押圧部材３３３，３３４は、リンク部材３２の押圧部３２３に押圧されると、便器１の上面側から便鉢部２側に向けて移動し、これに伴って、回動部材３３は、基端部３３１ａの周りに回動（図中時計回りに回動）する。これにより、回動部材３３（固定部３３１ｂ）に固定されたシャッター１６は、バネの付勢力に抗して図１０に示す閉位置から図１１に示す開位置へ向けて回動する。シャッター１６が開位置へ移動すると、おしり用洗浄ノズル２１のノズル本体２２やビデ用洗浄ノズル２５のノズル本体２６を便鉢部２側の洗浄位置まで移動させることが可能となる。
【００２５】
また、図１２に示すように、シリンダ部２３を便鉢部２に向けて移動させていくと、やがてシリンダ部２３の端部が回動部材３３の被押圧部３３３，３３４に当接する。回動部材３３は、シリンダ部２３の端部により被押圧部３３３，３３４が押圧されて基端部３３１ａの周りに回動（図中時計回りに回動）し、シャッター１６は更に開方向へ回動する。なお、リンク部材３２は、シリンダ部２３の端部によって被押圧部３３３，３３４が押し出されると、当該リンク部材３２の自重によって押圧部３２３が被押圧部３３３，３３４と当接した状態で前方へ倒れる。
【００２６】
本実施形態では、図１１に示すように、回動部材３３は、シリンダ部２３の端部がリンク部材３２の被押圧部３２２を乗り越え、シリンダ部２３の外周部（摺動面）が被押圧部３２２と摺動し始めてから、シリンダ部２３の端部が回動部材３３の被押圧部３３３，３３４に当接するまでの間、一定の回動角度に保持される。したがって、この間でシリンダ部２３が前後に移動しても、回動部材３３は一定の回動角度に保持されるため、シャッター１６も一定の開位置で保持される。
【００２７】
このように、シリンダ部２３の直線運動を変換機構３０によってシャッター１６の回動運動に変換させることにより、シャッター１６を閉位置から開位置へ移動させる。これにより、おしり用洗浄ノズル２１のノズル部２２やビデ用洗浄ノズル２５のノズル部２６の進退の有無に拘わらず、シャッター１６を閉位置から開位置まで移動させることができる。なお、シリンダ部２３，２７が便鉢部２側からケース１１０の奥へ向けて移動すると、シャッター１６は、シリンダ部２３がリンク部材３２の被押圧部３２２を支持している間、開位置に維持され、シリンダ部２３により被押圧部３２２が支持されなくなると、回動部材３３とベース部材３１との間に設けられたバネの付勢力により閉位置へと戻される。
【００２８】
噴霧器４０は、水をミスト状に噴出する噴出孔４１を有する。噴出孔４１は、上記ロータリーバルブを介して水タンクに連通しており、水タンクからの給水を受けて水を噴出する。また、噴霧器４０は、回動部材３３の連結部３３２に固定され、シリンダ部２３，２７の進退移動による回動部材３３の回動に伴って噴出角度が変化するようになっている。本実施形態では、噴霧器４０の噴出角度は、シリンダ部２３，２７が便鉢部２側とは反対のケース１１０の奥に位置しているとき（シリンダ部２３の端部あるいは外周部がリンク部材３２の被押圧部３２２と回動部材３３の被押圧部３３３，３３４の何れにも当接していないとき、即ちシリンダ部２３が図１０に示す位置にあるとき）に、図２に示すように、ノズル本体２２，２６の軸方向に略直交する下側の方向となる。上述したように、ノズル本体２２，２６は、シリンダ部２３，２７がケース１１０の奥に位置しているときに当該ノズル本体２２，２６の噴出孔２２１，２６１がシリンダ部２３，２７から露出されるため、この状態で噴霧器４０の噴出孔４１から水を噴出することにより、ノズル本体２２，２６の噴出孔２２１，２６１周辺を洗浄することができる。また、噴霧器４０の噴出角度は、シリンダ部２３，２７が便鉢部２側に位置しているとき（シリンダ部２３の外周部がリンク部材３２の被押圧部３２２と当接しているとき、即ちシリンダ部２３が図１１に示す位置にあるとき）に、図３に示すように、ノズル本体２２，２６の軸方向に略直交する方向に対して便鉢部２側に向かって傾斜する方向となる。この状態で噴霧器４０の噴出孔４１から水を噴出することにより、便鉢部２の表面に水膜を形成することができる。この結果、便鉢部２に汚物を付着しにくくすると共に、便器洗浄に際して汚物を便鉢部２の表面から離脱させやすくすることができる。
【００２９】
次に、こうして構成された衛生洗浄便座装置１０の噴霧器４０に関連した動作について説明する。
【００３０】
衛生洗浄便座装置１０の図示しない制御装置は、着座センサ１９からの信号に基づいて使用者が便器１（便座１２）に着座したと判定すると、シリンダ部２３，２７を便鉢部２側に移動させるように上述のアクチュエータを制御する。シリンダ部２３，２７が便鉢部２に向けて移動すると、シリンダ部２３，２７が変換機構３０のリンク部材３２を押圧し、当該リンク部材３２は、回動部材３３を回動させる。これにより、シャッター１６は、回動部材３３と共に開位置に向かって回動する。そして、制御装置は、シリンダ部２３の先端部或いは外周部（摺動面）がリンク部材３２の被押圧部３２２に当接した状態で、シリンダ部２３，２７を停止させる。これにより、シャッター１６は、開位置に維持される。次に、制御装置は、噴霧器４０の噴出孔４１に水タンク（あるいは、加熱ヒータを有する熱交換器）から水が供給されるようにロータリーバルブを制御する。これにより、噴出孔４１から水を噴出させて便鉢部２の表面を濡らすことが可能となる。シリンダ部２３，２７が便鉢部２側に移動した状態では、シャッター１６は開位置とされるが、ノズル本体２２，２６は噴出孔２２１，２６１を含めてシリンダ部２３，２７に収容されるため、ノズル本体２２，２６（噴出孔２２１，２６１周辺）への汚れの付着が防止される。
【００３１】
また、制御装置は、操作パネル１４のおしり洗浄スイッチが押下されると、おしり用洗浄ノズル２１に水タンク（あるいは、加熱ヒータを有する熱交換器）から水が供給されるようロータリバルブを制御する。これにより、おしり用洗浄ノズル２１のノズル本体２２は、供給される水の圧力によってスプリング２４の付勢力に抗してシリンダ部２３に対して伸張し、便鉢部２側の洗浄位置へ移動する。そして、ノズル本体２２の先端部に設けられた噴出孔２２１から人体のおしり部に向かって水が噴出されることにより、おしり洗浄が行なわれる。この場合、ビデ用洗浄ノズル２５のノズル本体２６は噴出孔２６１を含めてシリンダ部２７に収容されているため、おしり洗浄時の飛び散り汚れがノズル本体２６に付着するのを防止することができる。操作パネル１４の停止スイッチが押下されて、おしり洗浄の停止が指示されると、おしり用洗浄ノズル２１への水の供給を停止する。おしり用洗浄ノズル２１のノズル本体２２は、給水が停止されると、スプリング２４の付勢力によってシリンダ部２３の収容位置側へ移動する。
【００３２】
更に、制御装置は、操作パネル１４のビデ洗浄スイッチが押下されると、ビデ用洗浄ノズル２５に水タンク（あるいは、加熱ヒータを有する熱交換器）から水が供給されるようロータリバルブを制御する。これにより、ビデ用洗浄ノズル２５のノズル本体２６は、供給される水の圧力によってスプリングの付勢力に抗してシリンダ部２７に対して伸張し、便鉢部２側の洗浄位置へ移動する。そして、ノズル本体２６の先端部に設けられた噴出孔２６１から人体のビデ部に向かって水が噴出され、ビデ洗浄が行なわれる。この場合、おしり用洗浄ノズル２１のノズル本体２２は噴出孔２２１を含めてシリンダ部２３に収容されているため、ビデ洗浄時の飛び散り汚れがノズル本体２２に付着するのを防止することができる。操作パネル１４の停止スイッチが押下されて、ビデ洗浄の停止が指示されると、ビデ用洗浄ノズル２５への水の供給を停止する。ビデ用洗浄ノズル２５のノズル本体２６は、給水が停止されると、スプリングの付勢力によってシリンダ部２７の収容位置側へ移動する。
【００３３】
おしり洗浄またはビデ洗浄が終了すると、制御装置は、シリンダ部２３，２７がケース１１０の奥に移動するように上述のアクチュエータを制御する。シリンダ部２３，２７がケース１１０の奥に移動すると、シャッター１６は、シリンダ部２３に支持されなくなり、バネの付勢力により閉位置に向かって回動する。また、ノズル本体２２，２６の先端面に設けられた突起部２２２，２６２は、ベースプレート１１１に形成されたリブ１１３ａに係止され、ノズル本体２２，２６の噴出孔２２１，２６１はシリンダ部２３，２７から露出した状態となる。そして、制御装置は、噴霧器４０の噴出孔４１に水タンク（あるいは、加熱ヒータを有する熱交換器）から水が供給されるようにロータリーバルブを制御する。これにより、噴出孔４１から水を噴出させてノズル本体２２，２６の噴出孔２２１，２６１周辺を洗浄することができる。
【００３４】
以上説明した本実施形態の衛生洗浄便座装置１０によれば、おしり用洗浄ノズル２１のノズル本体２２およびビデ用洗浄ノズル２５のノズル本体２６に水を噴出する噴出位置と、便鉢部２の表面に水を噴出する噴出位置との間を移動可能な噴霧器４０を備える。これにより、１つの噴霧器４０で、おしり用洗浄ノズル２１およびビデ用洗浄ノズル２５を洗浄するノズル洗浄の機能と、便鉢部２の表面を濡らす鉢内噴出の機能とを実現することができ、それぞれの機能を別々の噴霧器を用いて実現するものに比して、装置を小型化することができると共にコストを低減させることができる。
【００３５】
また、本実施形態の衛生洗浄便座装置１０では、シャッター１６が閉位置にあるときにおしり用洗浄ノズル２１のノズル本体２２およびビデ用洗浄ノズル２５のノズル本体２６に向かって水が噴出され、シャッター１６が開位置にあるときに便鉢部２に向かって水が噴出されるように、噴霧器４０を、シャッター１６に固定される回動部材３３に固定する。これにより、噴霧器４０の噴出角度を変更するためにアクチュエータを用いるものに比して、更に、装置を小型化することができると共にコストを低減させることができる。
【００３６】
なお、本実施形態では、噴霧器４０を回動部材３３に固定し、回動部材３３の回動に伴って噴霧器４０の水の噴出角度を変更するものとしたが、これに限定されるものではなく、モータなどのアクチュエータを用いて噴霧器４０の水の噴出角度を変更するものとしてもよい。
【００３７】
本実施形態では、ノズル本体２２，２６の先端面に設けられた突起部２２２，２６２をベースプレート１１１に設けられたリブ１１３ａに係止させることにより、シリンダ部２３，２７の進退移動によってシリンダ部２３，２７からノズル本体２２，２６の噴出孔２２１，２６１を露出させたり、シリンダ部２３，２７からノズル本体２２，２６の噴出孔２２１，２６１を収容させたりするものとした。しかし、シリンダ部２３，２７の進退移動に拘わらず、ノズル本体２２，２６の噴出孔２２１，２６１をシリンダ部２３，２７から常時露出させてもよい。
【００３８】
実施形態の主要な要素と課題を解決するための手段の欄に記載した発明の主要な要素との対応関係について説明する。実施形態では、おしり用洗浄ノズル２１やビデ用洗浄ノズル２５が「局部洗浄ノズル」に相当し、噴霧器４０が「噴霧器」に相当する。また、ケース１１０が「ケース」に相当し、ノズル本体２２，２６が「ノズル本体」に相当し、シリンダ部２３，２７が「シリンダ部」に相当する。また、回動部材３３が「回動部材」に相当し、シャッター１６が「シャッター部材」に相当する。また、変換機構３０が「リンク機構」に相当する。
【００３９】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００４０】
本発明は、衛生洗浄便座装置の製造産業等において利用可能である。
【符号の説明】
【００４１】
１  便器、２  便鉢部、１０  衛生洗浄便座装置、１１  便座装置本体、１２  便座、１３  便蓋、１４  操作パネル、１５  着座センサ、１６  シャッター、２０  洗浄ユニット、２１  おしり用洗浄ノズル、２２  ノズル本体、２３  シリンダ部、２４  スプリング、２５  ビデ用洗浄ノズル、２６  ノズル本体、２７  シリンダ部、２９  固定部、３０  変換機構、３１  ベース部材、３２  リンク部材、３３  回動部材、４０  噴霧器、４１  噴出孔、１１０  ケース、１１１  ベースプレート、１１２  平坦部、１１３  傾斜部、１１３ａ  リブ、１１９  カバー、２２１，２６１  噴出孔、２２２，２６２  突起部、３２１  支軸、３２２  被押圧部、３２３  押圧部、３３１  側部、３３１ａ  基端部、３３１ｂ  固定部、３３２  連結部、３３３，３３４  被押圧部。
【図１】
2018150746.tif 000003
【図２】
2018150746.tif 000004
【図３】
2018150746.tif 000005
【図４】
2018150746.tif 000006
【図５】
2018150746.tif 000007
【図６】
2018150746.tif 000008
【図７】
2018150746.tif 000009
【図８】
2018150746.tif 000010
【図９】
2018150746.tif 000011
【図１０】
2018150746.tif 000012
【図１１】
2018150746.tif 000013
【図１２】
2018150746.tif 000014
【図１３】
2018150746.tif 000015
【図１４】
2018150746.tif 000016